(57)【要約】【課題】投入された被解砕物が弾き飛ばされるようなことがなく、解砕機の構造的隙間をなくして均一な大きさに解砕できるようにし、部品の損傷を抑え、損傷したときは簡単に取替え修理できるようにする。【解決手段】ケーシング１１内に２個の多角筒状ローター２０を、３６０度を多角筒の角数の倍数で除した角度、位相させて回転可能に設置し、上記ローター２０は、少なくとも二枚の多角形の鍔板２３に平板状胴板２４と山形状胴板２５とを亘設し、上記鍔板２３に取付けられ、上記山形状胴板２５の両側に間隔をあけて長さ方向に、連続または不連続の角リブ２７を設け、上記平板状胴板２４と山形状胴板２５の両端に取付け孔２２ｂ  を穿設した宛板２６を一体に設け、この宛板２６により平板状胴板２４と山形状胴板２５とを鍔板２３に取付ける。【選択図】  図１
2004305974.tif 000002
【特許請求の範囲】
【請求項１】
ケーシング内に回転可能にローターを配し、上記ローターを互いに内向きに回転させ、該ケーシング内に投入した被解砕物を解砕する解砕機において、上記ローターの形状を多角筒状とし、３６０度を多角筒の角数の倍数で除した角度、位相させて回転させるようにしたことを特徴とする解砕機。
【請求項２】
上記ローターは、少なくとも二枚の多角形の鍔板に胴板を亘設して多角筒状とし、該多角筒の稜線の両側に並行して連続または不連続のリブを設けてなることを特徴とする請求項１に記載の解砕機。
【請求項３】
上記リブを設けた胴板は、胴板の平面部分の中心線に沿って分割し、分割した胴板の両端に宛板を一体に取付け、この宛板を介して上記鍔板に取付けてなることを特徴とする請求項１または２に記載の解砕機。
【請求項４】
上記ローターの形状を６角筒とし、上記リブを角リブとしたことを特徴とする請求項１乃至３のいずれかに記載の解砕機。
【発明の詳細な説明】
【０００１】
【発明の属する技術分野】
この発明は被解砕物を確実に噛み込み均一な大きさに解砕し得る解砕機に関する。
【０００２】
【従来の技術】
従来技術の解砕機３０として図４、図５に示すものを挙げることができる。すなわち、ケーシング３１内に、固定刃３２と回転刃３３が互いに行き違うように配置され、回転刃３３は回転軸３４に取り付けられ、回転軸３４は、電動機３５によりスプロケット３６とエンドレスチェン３７を介して駆動される。
【０００３】
ケーシング３１の上部には図示しないシュートまたはホッパーが取り付けられケーシング３１の下部には図面に表れない排出口が設けられている。
【０００４】
【発明が解決しようとする課題】
ところが、上記従来の解砕機３０では、ホッパー（投入口）から投入された被解砕物が大きい場合には固定刃３２と回転刃３３に噛み込まれず弾き返される場合があり、また、被解砕物の形状が固定刃３２と回転刃３３との隙間に入り込むような形状（例えば細長いもの）の場合、隙間に入り込んで解砕されずにそのまま排出口（排出路）から排出される問題がある。
【０００５】
また、上記構造から分かるように解砕後の解砕物の大きさが不均一であり、固定刃３２と回転刃３３でもって被解砕物を挟み込むようにするので刃の損傷が激しく、また、刃の取替え作業も困難である。
【０００６】
上記問題に鑑みこの発明は、投入口から投入された被解砕物が弾き飛ばされ、または、解砕機の構造的隙間にはまり込んで解砕されずに排出されるようなことがなく、均一な大きさに解砕でき、部品の損傷を極力抑え、もし部品が損傷したときは簡単に取替え修理できる解砕機を提供することを課題とする。
【０００７】
【課題を解決するための手段】
上記課題を解決するためにこの発明は、ケーシング内に回転可能にローターを配し、上記ローターを互いに内向きに回転させ、該ケーシング内に投入した被解砕物を解砕する解砕機において、上記ローターの形状を多角筒状とし、３６０度を多角筒の角数の倍数で除した角度、位相させて回転させるようにし（請求項１）、上記ローターは、少なくとも二枚の多角形の鍔板に胴板を亘設して多角筒状とし、該多角筒の稜線の両側に並行して連続または不連続のリブを設けてなり（請求項２）、上記リブを設けた胴板は、上記リブを設けた胴板の平面部分の中心線に沿って分割し、分割した胴板の両端に宛板を一体に取付け、この宛板を介して上記鍔板に取付けてなり（請求項３）、上記ローターの形状を６角筒とし、上記リブを角リブとした（請求項４）ものである。
【０００８】
上記の如く構成するこの発明によれば、投入口から投入された被解砕物が弾き飛ばされることがなく、解砕機の構造的隙間に被解砕物がはまり込んで解砕されずに排出されるようなことがなく、均一な大きさに解砕され、部品の損傷を抑制し、もし部品が損傷したときでも簡単に取替え修理できるようになる。
【０００９】
【発明の実施の形態】
次にこの発明の実施の形態を、図面を参照しながら説明する。この実施の形態は都市ゴミ焼却炉に併設される排ガス減温塔で発生するダスト塊や減温塔の内壁に付着成長したクリンカー（以下、これらをまとめて被解砕物という）などを送り出すシュートに接続されるが、これに限るものではない。
【００１０】
また、この発明の解砕機を構成する材料は、一般的部分は、機械構造用鋼を用い、耐磨耗性や一定の硬度を要求される部分には要求を満たし得る工具鋼などの材料の使用、さらには表面硬化肉盛などの硬化処理が施される。
【００１１】
図１、図２に示すように解砕機１０のケーシング１１の上部には、被解砕物の投入口１２が開口し、投入口１２には内部を点検する点検窓１３が設けられ、ケーシング１１の下部には排出口１４が開口し、ケーシング１１の両サイドにはベアリング１５が配設され、このベアリング１５に、内部に配設された２個のローター２０が、回転軸２１を介して回転可能に支承され、電動機１６によりスプロケット１７、エンドレスチェン１８および平歯車１９を介して駆動される。
【００１２】
上記ローター２０は図１（ｂ）に示すように、周りに取付け孔（雌ネジとする）２２ａ  を設けた六角形の鍔板２３が両端に配置され、六角形の辺部分には平板状胴板２４が亘設され、角部分には山形状胴板２５が亘設されている。
【００１３】
上記平板状胴板２４と山形状胴板２５とは間隔をあけて配置され、間隔をあけた部分に角棒を配置して溶接などの手段で一体に固定し、その両端に宛板２６が一体に取り付けられ、この宛板２６は上記鍔板２３の外側に宛がわれ、取付け孔２２ｂ  と鍔板２３の取付け孔２２ａ  とを合わせてボルトなどにより取付けられる（ここで宛板２６を鍔板２３の内側に宛がうときは宛板２６の取付け孔２２ｂ  を雌ネジとする）。
【００１４】
また、上記ローター２０の被解砕物Ｘの食い込みをよくするために、図１（ｂ）のように山形状胴板２５の稜線の両側に間隔をあけ、これに角棒を嵌めて溶接固定し角リブ２７としている。（角リブは連続・不連続どちらでもよく、角リブに替えて丸リブにしてもよい）。
【００１５】
また、上記角リブ２７は、平板状胴板２４と山形状胴板２５とを間隔をあけ、その部分に配置したが、間隔をあけず胴板の表面に断面三角形の部材を溶接固定してもよく、断面半円形の部材を溶接固定してもよい。
【００１６】
このようにローター２０の山形状胴板２５の稜線の両側に間隔をあけて角リブ２７を設けることにより図３（ａ）（ｂ）に示すように、山形状胴板２５の稜線と角リブ２７とが噛み合って被解砕物Ｘをよく噛み込み均一な大きさに解砕されるようになる。
【００１７】
【発明の効果】
以上説明した通りこの発明によれば、投入口から投入された被解砕物が弾き飛ばされることがなくなり、解砕機の構造的隙間がなくなって被解砕物が解砕されずに排出されるようなことがなくなり、多角形のローターにより均一な大きさに解砕され、部品の損傷を抑制することができ、もし部品が損傷したときには簡単に取替え修理できるようになった。
【図面の簡単な説明】
【図１】（ａ）この発明に係る解砕機の内部構造を表した側面図
（ｂ）ローター部分の拡大斜視図
【図２】同内部構造を表した正面図
【図３】ローターの作用説明図
【図４】従来の解砕機の内部構造を表した平面図
【図５】図４のＢ−Ｂ矢視図
【符号の説明】
１０，３０  解砕機
１１，３１  ケーシング
１２  投入口
１３  点検窓
１４  排出口
１５  ベアリング
１６，３５  電動機
１７，３６  スプロケット
１８，３７  エンドレスチェン
１９  平歯車
２０  ローター
２１，３４  回転軸
２２ａ  ，２２ｂ    取付け孔
２３  鍔板
２４  平板状胴板
２５  山形状胴板
２６  宛板
２７  角リブ
３２  固定刃
３３  回転刃
Ｘ  被解砕物
【図１】
2004305974.tif 000003
【図２】
2004305974.tif 000004
【図３】
2004305974.tif 000005
【図４】
2004305974.tif 000006
【図５】
2004305974.tif 000007